(57)【要約】      （修正有）【課題】各種商品の包装箱を使い捨てることなく、その空き箱を利用して再生額縁とする。【解決手段】縦（ｙ）や横（ｘ）の長さよりも深さ（ｚ）が浅い扁平な直方体として既製された各種商品の包装箱Ｍを利用して、その包装箱Ｍの表向き開放する箱本体の裏面へ折り曲げ予定板を、ミシン目、ハーフカット又はＶ溝カット２６の加工によって、正方形、長方形又は等脚台形の輪郭形状に区画形成する一方、上記箱本体へ覆いかぶさる蓋体１６の表側から、縁部装飾カバー１８を被冠状態に取り付け固定して、その縁部装飾カバー１８により囲まれた内部へ、蓋体１６の表側から絵画や写真、色紙、賞状、証書などの各種枚葉観賞品Ａを抜き差し交換自在に差し込み係止させて使用する。【選択図】図１
0003131468.tif 000002
【実用新案登録請求の範囲】
【請求項１】
縦（ｙ）や横（ｘ）の長さよりも深さ（ｚ）が浅い扁平な直方体として既製された各種商品の包装箱（Ｍ）を利用して、
その包装箱（Ｍ）の表向き開放する箱本体（１１）の裏面へ折り曲げ予定板（１３）を、ミシン目（１４）、ハーフカット又はＶ溝カット（２６）の加工によって、正方形、長方形又は等脚台形の輪郭形状に区画形成する一方、
上記箱本体（１１）へ覆いかぶさる蓋体（１６）の表側から、縁部装飾カバー（１８）（１８ａ）（１８ｂ）を被冠状態に取り付け固定して、
その縁部装飾カバー（１８）（１８ａ）（１８ｂ）により囲まれた内部へ、上記蓋体（１６）の表側から絵画や写真、色紙、賞状、証書などの各種枚葉観賞品（Ａ）を抜き差し交換自在に差し込み係止させると共に、
上記折り曲げ予定板（１３）の３辺を箱本体（１１）の裏面から切り抜き、その残余の１辺を折り曲げ予定板（１３）の回動ヒンジ（ｈ−ｈ）として、上記箱本体（１１）から裏側へ曲げ起すことにより、テーブル面（Ｔ）への据え立て使用又は壁面（Ｗ）への吊り掛け使用を行なえるように定めたことを特徴とする再生額縁。
【請求項２】
包装箱（Ｍ）を厚紙からの既製品として、その箱本体（１１）の裏面へ折り曲げ予定板（１３）を、ミシン目（１４）の加工により区画形成したことを特徴とする請求項１記載の再生額縁。
【請求項３】
包装箱（Ｍ）を経木、木質化粧板又は合成樹脂からの既製品として、その箱本体（１１）の裏面へ折り曲げ予定板（１３）を、ハーフカット又はＶ溝カット（２６）の加工により区画形成したことを特徴とする請求項１記載の再生額縁。
【請求項４】
包装箱（Ｍ）の箱本体（１１）と蓋体（１６）とが重なり合う４側面又はその角隅部を介して隣接する２側面に、２個づつの吊り掛け索条用貫通孔（２４）を開口分布させたことを特徴とする請求項１記載の再生額縁。
【請求項５】
折り曲げ予定板（１３）の４辺に沿って２個づつの吊り掛け索条用挿通孔（２１）を開口分布させたことを特徴とする請求項１記載の再生額縁。
【請求項６】
縁部装飾カバー（１８）を黄金色や朱色などの着色カラーテープから成る合計４個として、蓋体（１６）の４角隅部へ各々傾斜タスキ掛け状態に取り付け固定したことを特徴とする請求項１記載の再生額縁。
【請求項７】
枚葉観賞品（Ａ）を蓋体（１６）の表側から透明プラスチックフィルムにより被覆したことを特徴とする請求項１記載の再生額縁。
【考案の詳細な説明】
【技術分野】
【０００１】
本考案は各種商品の包装箱を使い捨てることなく、その空き箱を利用した再生額縁に関する。
【背景技術】
【０００２】
各種商品の厚紙から成る包装箱を廃棄せず、その空き箱を額縁や災害避難具の収納箱として再利用できるように工夫した特開２００５−３１３９９６号（発明の名称：多目的箱）が提案されており、これが本考案に最も近似する公知技術であると考えられる。
【特許文献１】特開２００５−３１３９９６号公報
【特許文献２】特開２００２−２６６６号公報
【考案の開示】
【考案が解決しようとする課題】
【０００３】
ところが、上記特開２００５−３１３９９６号発明の構成では四側板（１０）と下板（１２）のほかに、上板（１１）も備えた収納容器（１）と、その上板（１１）へ二重に覆いかぶさる蓋体（２）とから成る特殊な包装箱を対象としているため、一般的な上向き開口する箱本体を備えた既製の包装箱には適用できず、汎用性に劣る。
【０００４】
又、表示シート（３）の位置ズレを防ぐ突出部（２２）が、蓋体（２）の上板（２１）から縁取り状態に隆起しているため、その突出部（２２）を有さない既製の包装箱は、額縁として再利用できないことになり、やはりその適用範囲の制約を受けるのである。
【０００５】
更に、上記表示シート（３）の表示部（３０）が商品との関連上、例えば観光地の景色写真や女性の写真などとして、その商品の販売業者により予じめ一定に決められてしまっている。
【０００６】
この点、各種商品を購入したユーザーが、たとえ好みの表示シート（３）を用意したり、その別物と交換したりするとしても、既製の収納容器（１）と蓋体（２）のほかに、窓部（４０）が開口された抜きマット（４）を特別に製作準備しなければ、やはり額縁として再利用することができない。
【課題を解決するための手段】
【０００７】
本考案はこのような課題の改良を目的としており、そのために請求項１では縦や横の長さよりも深さが浅い扁平な直方体として既製された各種商品の包装箱を利用して、
【０００８】
その包装箱の表向き開放する箱本体の裏面へ折り曲げ予定板を、ミシン目、ハーフカット又はＶ溝カットの加工によって、正方形、長方形又は等脚台形の輪郭形状に区画形成する一方、
【０００９】
上記箱本体へ覆いかぶさる蓋体の表側から、縁部装飾カバーを被冠状態に取り付け固定して、
【００１０】
その縁部装飾カバーにより囲まれた内部へ、上記蓋体の表側から絵画や写真、色紙、賞状、証書などの各種枚葉観賞品を抜き差し交換自在に差し込み係止させると共に、
【００１１】
上記折り曲げ予定板の３辺を箱本体の裏面から切り抜き、その残余の１辺を折り曲げ予定板の回動ヒンジとして、上記箱本体から裏側へ曲げ起すことにより、テーブル面への据え立て使用又は壁面への吊り掛け使用を行なえるように定めたことを特徴とする。
【００１２】
又、請求項２では包装箱を厚紙からの既製品として、その箱本体の裏面へ折り曲げ予定板を、ミシン目の加工により区画形成したことを特徴とする。
【００１３】
請求項３では包装箱を経木、木質化粧板又は合成樹脂からの既製品として、その箱本体の裏面へ折り曲げ予定板を、ハーフカット又はＶ溝カットの加工により区画形成したことを特徴とする。
【００１４】
請求項４では包装箱の箱本体と蓋体とが重なり合う４側面、又はその角隅部を介して隣接する２側面に２個づつの吊り掛け索条用貫通孔を開口分布させたことを特徴とする。
【００１５】
請求項５では折り曲げ予定板の４辺に沿って、２個づつの吊り掛け索条用挿通孔を開口分布させたことを特徴とする。
【００１６】
請求項６では縁部装飾カバーを黄金色や朱色などの着色カラーテープから成る合計４個として、蓋体の４角隅部へ各々傾斜タスキ掛け状態に取り付け固定したことを特徴とする。
【００１７】
更に、請求項７では枚葉観賞品を蓋体の表側から透明プラスチックフィルムにより被覆したことを特徴とする。
【考案の効果】
【００１８】
請求項１の上記構成によれば、商品包装箱における箱本体の裏面へ折り曲げ予定板を区画形成する一方、同じく蓋体の表面へ縁部装飾カバーを取り付けた状態でも、その包装箱の内部へ各種商品を支障なく収容して、店頭での陳列や販売、運搬などを行なうことができる。
【００１９】
そして、その商品を購入たユーザーが、上記包装箱から商品取り出し後の空き箱を利用して、その箱本体の裏面から折り曲げ予定板を曲げ起す一方、上記縁部装飾カバーにより囲まれた内部へ、蓋体の表側から好みの絵画や写真、色紙、賞状などの各種枚葉観賞品を抜き差し交換自在に差し込み係止させることにより、上記空き箱からの再生額縁としてテーブル面への据え立て使用や壁面への吊り掛け使用を行なうことができ、利便性と省資源効果に優れる。
【００２０】
更に、テーブル面へ据え立てる使用状態と、壁面へ吊り掛ける使用状態との何れにあっても、上記折り曲げ予定板が曲げ起された箱本体の裏面には、裏窓が開放することになる結果、その裏窓から箱本体の内部へ、貴重な又は秘蔵したい各種小物類を収容・保管することができ、日常生活上の利便性も向上する。
【００２１】
特に、請求項２や請求項３の構成を採用するならば、箱本体の裏面がミシン目の加工により弱体化され、又同じく箱本体の裏面がハーフカット又はＶ溝カットの加工により薄肉化されるため、ここから上記折り曲げ予定板を誰でも無理なく曲げ起すことができ、再生額縁として使用する際の作業性に優れる。
【００２２】
請求項４や請求項５の構成を採用するならば、商品包装箱に開口分布された吊り掛け索条用貫通孔や、その折り曲げ予定板に開口分布された吊り掛け索条用挿通孔へ、１本の吊り掛け索条を取捨選択的に通し込み結束することにより、再生額縁を壁面へ一層便利良く吊り掛け使用できる効果がある。
【００２３】
又、請求項６の構成を採用するならば、その着色カラーテープから成る縁部装飾カバーによって、蓋体の４角隅部を優美に化粧することもでき、商品包装箱に高級感や興趣変化を与え得る効果がある。
【００２４】
請求項７の構成を採用するならば、枚葉観賞品を蓋体の表側から透視しつつも、その防塵状態に保てる効果がある。
【考案を実施するための最良の形態】
【００２５】
以下、図面に基いて本考案の具体的構成を詳述すると、先ず図１〜１２はその本考案に係る再生額縁の第１実施形態を示しており、（Ｍ）は保形強度を有する厚紙から縦（ｙ）や横（ｘ）の長さ寸法よりも浅い寸法の深さ（ｚ）として、その深くとも約４０mm程度の扁平な直方体に組み立てられた商品包装箱である。
【００２６】
このような包装箱（Ｍ）としては、例えば加工水産物や麺類、菓子、下着、靴下、タオル、石鹸、その他の主にギフト用又は土産用となる各種商品が収容された既製品の空き箱を利用する。
【００２７】
（１１）は上記商品包装箱（Ｍ）の箱本体であって、４側面（１１ｙ）（１１ｙ）（１１ｘ）（１１ｘ）と裏面（下面）（１２）とから表向き（上向き）開放する断面ほぼＵ字型をなし、その裏面（１２）の中央部には折り曲げ予定板（１３）が、これを縁取るミシン目（点線）（１４）の加工によって、上記裏面（１２）とほぼ相似の長方形な輪郭形状に区画形成されている。
【００２８】
但し、茲に折り曲げ予定板（１３）は図２のような長方形に限らず、正方形や図３のような等脚台形、その他の上記裏面（１２）における長辺又は短辺と平行な２辺を備えた４角形の輪郭形状に区画形成することもできる。尚、図４の箱本体（１１）は長方形の表窓（１５）を有している。
【００２９】
他方、（１６）は上記箱本体（１１）へ表側（上側）から着脱自在に覆いかぶさる蓋体であって、その箱本体（１１）と対応合致する４側面（１６ｙ）（１６ｙ）（１６ｘ）（１６ｘ）と表面（上面）（１７）とから、裏向き（下向き）開放する断面ほぼ倒立Ｕ字型に造形されており、その４角隅部には黄金色や朱色などの着色カラーテープから成る縁部装飾カバー（１８）（１８）（１８）（１８）が、各々傾斜タスキ掛け状態に取り付けられている。
【００３０】
つまり、その縁部装飾カバー（１８）（１８）（１８）（１８）となる着色カラーテープの切り離し両端部は、蓋体（１６）における隣り合う２側面（１６ｙ）（１６ｘ）の開放縁部へ折り返し状態に取り付け固定されており、同じく着色カラーテープの中間部が蓋体（１６）の各角隅部へ、その表側（上側）から図１〜４のようなただ単なる傾斜タスキ掛け風として跨がる被冠状態にある。
【００３１】
そのため、後述する各種枚葉観賞品の４角隅部を、その蓋体（１６）の縁部装飾カバー（１８）（１８）（１８）（１８）となる着色カラーテープへ、表側（上側）から抜き差し交換自在に差し込み係止させて、その蓋体（１６）への言わば表当て付属状態に収容使用することができる。
【００３２】
尚、上記縁部装飾カバー（１８）（１８）（１８）（１８）の固定手段として、図示の実施形態では接着手段を用いているが、これに代るホッチキス針やその他の手段を採用しても良い。
【００３３】
厚紙からの既製品である商品包装箱（Ｍ）の箱本体（１１）へ、上記折り曲げ予定板（１３）を縁取り用ミシン目（１４）によって区画形成する一方、同じく蓋体（１６）へ上記縁部装飾カバー（１８）（１８）（１８）（１８）を取り付けた状態では、その包装箱（Ｍ）の内部へ先に例示したような各種商品を支障なく収容して、その陳列・販売や運搬などを行なえるのであり、その際上記縁部装飾カバー（１８）（１８）（１８）（１８）によって、商品包装箱（Ｍ）自体に高級感や優美な化粧効果を与えることもできる。
【００３４】
そのため、各種商品の販売業者において、その商品包装箱（Ｍ）に予じめ上記折り曲げ予定板（１３）を区画形成するミシン目（１４）の加工や、上記縁部装飾カバー（１８）（１８）（１８）（１８）の取り付けを行なっておき、これに各種商品を収容させて、店頭での陳列や販売などに供すれば、これを購入したユーザーが、その商品取り出し後の空き箱を廃棄することなく、再生額縁として有効に利用することができる。
【００３５】
その再生額縁として使用するに当っては、上記空き箱となった箱本体（１１）の裏面（１２）からミシン目（１４）に沿って、折り曲げ予定板（１３）の３辺を手先や刃物により切り抜き、その残余の１辺を折り曲げ予定板（１３）の回動ヒンジ（ｈ−ｈ）として、これを図４の鎖線で示す如く、箱本体（１１）の裏側（下側）へ曲げ起せば良い。その箱本体（１１）における裏面（１２）の強度が、上記ミシン目（１４）の付与によって弱体化されているため、ここから折り曲げ予定板（１３）を容易に正しく折り曲げることができる。
【００３６】
その場合、図２のような長方形の輪郭形状に区画形成された折り曲げ予定板（１３）を、上記裏面（１２）の長辺又は短辺と平行な１辺を回動ヒンジ（ｈ−ｈ）として、ほぼ直角（α）に曲げ起すことにより、上記商品包装箱（Ｍ）の空き箱を縦長状態又は横長状態の再生額縁として、図５、６のようにテーブル面（Ｔ）へ点接触する如く、安定裡に据え立て使用することができる。
【００３７】
又、上記折り曲げ予定板（１３）を、同じく裏面（１２）の長辺又は短辺と平行な１辺を回動ヒンジ（ｈ−ｈ）として、９０度未満の鋭角（β）に曲げ起すことにより、やはり上記包装箱（Ｍ）の空き箱を縦長状態又は横長状態の再生額縁として、図７のようにテーブル面（Ｔ）へ線接触する如く、据え立て使用することも可能である。
【００３８】
更に、上記折り曲げ予定板（１３）を、やはり裏面（１２）の長辺又は短辺と平行な１辺を回動ヒンジ（ｈ−ｈ）として、約１８０度付近まで鈍角（γ）に曲げ起し反転させることにより、上記包装箱（Ｍ）の空き箱を縦長状態又は横長状態の再生額縁として、図８のように壁面（Ｗ）から突出するフック金具（１９）へ、吊り掛け使用することもできるのである。
【００３９】
その場合には、箱本体（１１）と蓋体（１６）とを接着テープ（２０）などによる縁取り状態として、その分離しないように結合一体化するのであり、そうすれば再生額縁は図９のように、自づと見やすい傾斜状態に吊り下がる結果となる。（２１）（２１）は上記折り曲げ予定板（１３）の４辺に沿って２個づつ開口分布された吊り掛け索条用挿通孔であり、その並列する２個づつを選択使用して、ここへ１本の吊り掛け索条（２２）を通し込み結束すれば良い。
【００４０】
何れにしても、上記再生額縁としての使用時には、その蓋体（１６）における４角隅部の縁部装飾カバー（１８）（１８）（１８）（１８）へ、ユーザーの希望する絵画（その複製印刷物を含む。）や写真、色紙、賞状、証書、その他の各種枚葉観賞品（Ａ）を、図１、４のように表側（上側）から抜き差し交換自在に差し込み係止させて、その蓋体（１６）への表当て付属状態に保ち、これを表側（上側）から目視・観賞するのである。
【００４１】
尚、その場合枚葉観賞品（Ａ）を防塵状態に保つため、これを蓋体（１６）の表側から透明プラスチックフィルム（図示省略）により被覆しても良い。
【００４２】
上記折り曲げ予定板（１３）を曲げ起すことにより、再生額縁として据え立て使用又は吊り掛け使用した場合、箱本体（１１）の裏面（１２）には裏窓（２３）が開放する結果となり、その周辺部は箱本体（１１）の４側面（１１ｙ）（１１ｙ）（１１ｘ）（１１ｘ）を底面とする一定深さに保たれているため、ユーザーの希望する各種小物類（図示省略）を、その裏窓（２３）から箱本体（１１）の内部へ収容・保管することもでき、日常生活上の利便性が昂まる。
【００４３】
更に、上記商品包装箱（Ｍ）を形作る箱本体（１１）の４側面（１１ｙ）（１１ｙ）（１１ｘ）（１１ｘ）と、これに覆いかぶさる蓋体（１６）の４側面（１６ｙ）（１６ｙ）（１６ｘ）（１６ｘ）とが重なり合う相互間に亘って、２個づつ並列する吊り掛け索条用貫通孔（２４）（２４）を開口分布させておくことが好ましい。
【００４４】
そうすれば、図１０〜１２から明白なように、その貫通孔（２４）（２４）へ通し込み結束される１本の吊り掛け索条（２５）によって、上記包装箱（Ｍ）の箱本体（１１）と蓋体（１６）とを分離するおそれなく結合一体化でき、特別な上記縁取り接着テープ（２０）などを要することもなく、壁面（Ｗ）へ便利良く吊り掛け使用し得る効果がある。
【００４５】
但し、上記包装箱（Ｍ）は直方体をなすため、その箱本体（１１）と蓋体（１６）とが角隅部を介して隣り合う２側面（１１ｙ）（１１ｘ）（１６ｙ）（１６ｘ）へ、上記吊り掛け索条用貫通孔（２４）（２４）の２個づつを設けるだけにとどめても、上記効果を達成することができる。
【００４６】
次に、図１３〜１６は本考案に係る再生額縁の第２実施形態を示しており、これでは厚紙よりも高強度な経木や木質化粧板、合成樹脂から、やはり扁平な直方体に既製された商品包装箱（Ｍ）の空き箱を利用している。
【００４７】
そして、その箱本体（１１）における裏面（１２）の中央部へ折り曲げ予定板（１３）を、その縁取り用ハーフカット（実線）又はＶ溝カット（２６）の加工により、上記裏面（１２）とほぼ相似な長方形や正方形、その裏面（１２）の長辺又は短辺と平行な２辺を備えた等脚台形などの４角形に区画形成している。
【００４８】
つまり、ハーフカット又はＶ溝カット（２６）の加工が、箱本体（１１）の裏面（１２）を薄肉化しているため、これにより縁取り区画形成された折り曲げ予定板（１３）の３辺を、刃物によって切り抜いた上、その残余の１辺を回動ヒンジ（ｈ−ｈ）として、やはり箱本体（１１）の裏側へ曲げ起すことができる。
【００４９】
上記第１実施形態における商品包装箱（Ｍ）の蓋体（１６）は、透視窓を具備していないが、その図４と対応する図１４の第２実施形態に併せて示す如く、断面ほぼ倒立Ｕ字型の蓋体（１６）である限り、その表窓（２７）に透明カバー（２８）が裏当て一体化された形態も採用することができる。再生額縁としての使用時には、その蓋体（１６）への表当て付属状態に差し込み係止される枚葉観賞品（Ａ）が、上記表窓（２７）を遮蔽することになるからである。
【００５０】
又、上記第１実施形態では蓋体（１６）の縁部装飾カバー（１８）（１８）（１８）（１８）として、その４角隅部へ傾斜タスキ掛け状態に被冠された着色カラーテープを説示したが、その合計４個を着色カラーテープに代る厚紙などの硬質な板片から、図１３のような扇形やほぼ直角三角形に造形し、上記枚葉観賞品（Ａ）の受け止め可能な縁取り被冠状態として、蓋体（１６）の４角隅部へ表側から取り付け固定しても良い。
【００５１】
更に、蓋体（１６）の４角隅部へ上記縁部装飾カバー（１８）（１８）（１８）（１８）を取り付け固定する構成に限らず、再生額縁としての使用時における上辺に沿って、図１５のようなのれん風に造形された縁部装飾カバー（１８ａ）の１個を、やはり表側（上側）から被冠状態に取り付け固定したり、同じく使用時の両サイド辺に沿って、図１６のようなカーテン風に造形された縁部装飾カバー（１８ｂ）（１８ｂ）の一対を、表側（上側）から被冠状態に取り付け固定したりして、これらにより囲まれた内部へ各種枚葉観賞品（Ａ）を、表側から抜き差し交換自在に差し込み使用するように定めることも可能である。
【００５２】
第２実施形態におけるその他の構成と使用法は、上記第１実施形態と実質的に同一であるため、その図１３〜１６に図１〜１２との対応符号を記入するにとどめて、その詳細な説明を省略する。
【００５３】
尚、各種商品の販売業者が、その商品包装箱（Ｍ）に予じめ上記折り曲げ予定板（１３）を区画形成すると共に、上記縁部装飾カバー（１８）（１８ａ）（１８ｂ）を取り付けておく旨として説明したが、商品を購入したユーザーにおいて、その包装箱（Ｍ）の空き箱へ上記折り曲げ予定板（１３）を区画形成するミシン目（１４）やＶ溝カット（２６）などの加工と、縁部装飾カバー（１８）（１８ａ）（１８ｂ）の取り付けを行なうことにより、その空き箱から再生額縁として言わば手作りしても良く、本考案の範疇に属する。
【図面の簡単な説明】
【００５４】
【図１】本考案に係る再生額縁の第１実施形態を表側から見た斜面図である。
【図２】図１の裏側から見た斜面図である。
【図３】折り曲げ予定板の変形実施形態を示す図２に対応する斜面図である。
【図４】図１の４−４線に沿う拡大断面図である。
【図５】縦長状態としてテーブル面へ据え立てた再生額縁の使用例を示す側面図である。
【図６】図５の６−６線に沿う拡大断面図である。
【図７】横長状態としてテーブル面へ据え立てた再生額縁の使用例を示す側面図である。
【図８】再生額縁の折り曲げ予定板により壁面へ吊り掛けた使用例を示す正面図である。
【図９】図８の９−９線に沿う拡大断面図である。
【図１０】吊り掛け索条の使用により壁面へ吊り掛けた再生額縁の使用例を示す正面図である。
【図１１】図１０の１１−１１線に沿う拡大断面図である。
【図１２】縦長状態での吊り掛け使用例を示す図１０に対応する正面図である。
【図１３】本考案に係る再生額縁の第２実施形態を示す正面図である。
【図１４】図１３の１４−１４線に沿う拡大断面図である。
【図１５】のれん風の縁部装飾カバー示す図１３に対応する正面図である。
【図１６】カーテン風の縁部装飾カバーを示す同じく図１３に対応する正面図である。
【符号の説明】
【００５５】
（１１）・箱本体
（１１ｙ）（１１ｙ）（１１ｘ）（１１ｘ）・箱本体の４側面
（１２）・裏面
（１３）・折り曲げ予定板
（１４）・ミシン目
（１６）・蓋体
（１６ｙ）（１６ｙ）（１６ｘ）（１６ｘ）・蓋体の４側面
（１７）・表面
（１８）（１８ａ）（１８ｂ）・縁部装飾カバー
（１９）・フック金具
（２０）・縁取り接着テープ
（２１）・挿通孔
（２２）・吊り掛け索条
（２３）・裏窓
（２４）・貫通孔
（２５）・吊り掛け索条
（２６）・ハーフカット又はＶ溝カット
（Ａ）・枚葉観賞品
（Ｍ）・商品包装箱
（Ｔ）・テーブル面
（Ｗ）・壁面
（ｈ−ｈ）・回動ヒンジ
【図１】
0003131468.tif 000003
【図２】
0003131468.tif 000004
【図３】
0003131468.tif 000005
【図４】
0003131468.tif 000006
【図５】
0003131468.tif 000007
【図６】
0003131468.tif 000008
【図７】
0003131468.tif 000009
【図８】
0003131468.tif 000010
【図９】
0003131468.tif 000011
【図１０】
0003131468.tif 000012
【図１１】
0003131468.tif 000013
【図１２】
0003131468.tif 000014
【図１３】
0003131468.tif 000015
【図１４】
0003131468.tif 000016
【図１５】
0003131468.tif 000017
【図１６】
0003131468.tif 000018